(57)【特許請求の範囲】
【請求項１】
台紙に仮着され裏面に粘着剤が塗布されたラベルであって、
該ラベルにメモリチップ及び通信用アンテナから成るＲＦＩＤタグを付設し物品に貼付するＲＦＩＤラベルにおいて、
ＲＦＩＤタグが付設された所定の大きさの矩形状のタグ付設部を一般部と連設する一辺に設けるとともに、上記タグ付設部と上記一般部の境に仕切線を設け、上記タグ付設部の裏面側を非粘着または弱粘着とし、上記タグ付設部を切除可能に設けたことを特徴とするＲＦＩＤラベル。
【請求項２】
上記ラベルの基材が、上記タグ付設部が上記一般部と面一の状態で該物品のコーナ部から突出できる剛性を有する基材または厚さで構成したことを特徴とする請求項１記載のＲＦＩＤラベル。
【請求項３】
上記ラベルの裏面側に、上記タグ付設部が上記一般部と面一の状態で該物品のコーナ部から突出できる剛性を有するように、上記タグ付設部の一辺を跨ぐシート状の補強基材を設けたことを特徴とする請求項１乃至２のいずれかに記載のＲＦＩＤラベル。
【請求項４】
上記ラベルの裏面側に、上記タグ付設部が上記一般部と面一の状態で該物品のコーナ部から突出できる剛性を有するように、上記タグ付設部及び該タグ付設部に連設する一部に補強基材を設けたことを特徴とする請求項１乃至３のいずれかに記載のＲＦＩＤラベル。
【請求項５】
上記タグ付設部を、上記ラベルの上記一般部の一辺の角部を構成する部位に形成したことを特徴とする請求項１乃至４のいずれかに記載のＲＦＩＤラベル。
【請求項６】
上記タグ付設部を、上記ラベルの上記一般部の一辺の中間部に形成したことを特徴とする請求項１乃至４のいずれかに記載のＲＦＩＤラベル。
【請求項７】
請求項１記載のＲＦＩＤラベルの貼付方法であって、
上記ラベルを物品へ貼付する際、上記仕切線を上記物品のコーナー部に合わせ、上記一般部を上記物品に貼付すると共に上記タグ付設部を上記物品から突出させて貼付することを特徴とするＲＦＩＤラベルの貼付方法
【請求項８】
請求項１記載のＲＦＩＤラベルの貼付方法であって、
上記タグ付設部を上記仕切線から折曲し、上記ラベルを物品に貼付する際、上記タグ付設部が上記一般部から立上がり物品から突出させて貼付することを特徴とするＲＦＩＤラベルの貼付方法。
【発明の詳細な説明】
【技術分野】
【０００１】
本発明は、物品に貼付するラベルに係り、特に、種々の情報を記憶するメモリチップを備えた所謂ＲＦＩＤタグが付設されたＲＦＩＤラベル及びＲＦＩＤラベルの貼付方法に関する。
【背景技術】
【０００２】
近年、図７に示すように、ＲＦＩＤ(Radio Fruquency IDntification)タグＴといわれ、種々の情報を記憶するメモリチップＴａ及びこのメモリチップＴａに接続された通信用アンテナＴｂを備えたタグを、種々の物品に貼付されるラベルＬに付設し、このＲＦＩＤタグＴを用いて、無線による非接触の自動識別を行なう技術が普及してきている。
図７は、ＲＦＩＤタグＴが付設されたラベルＬであり、ラベルＬは、表示層Ｕと粘着層Ｂとから成り、表示層Ｕの裏面にＲＦＩＤタグＴが付設されており、帯状の台紙Ｄに順次仮着されている。
ＲＦＩＤタグＴは、ＩＣチップＴａと通信用アンテナＴｂとから構成され、全体を覆うフィルム層Ｊにより保護されている。
このような、ＲＦＩＤタグＴが付設されたラベルＬを物品に貼付するラベル貼付装置としては、従来、例えば、本願出願人が先に提案したものが知られている（特開２００５−１０４５２１号公報掲載）。これは、ラベルＬを台紙Ｄに仮着した状態で搬送するとともに、台紙Ｄより剥離したラベルＬを吸着板により所定の吸着位置で吸着し、吸着板で吸着したラベルＬを所定の貼付位置で物品に貼付するものである。
【０００３】
また、従来ＲＦＩＤタグが付設されたラベルにおいて、通信可能距離を一定とするために、例えば、図８に示すようなラベルＬも開発されている。このラベルＬは、全体を折り曲げ可能な例えば３つの領域１１０，１１１，１１２に区画し、そのうち１つの領域１１０に、メモリチップＴａ及び通信用アンテナＴｂを搭載し、他の領域１１１，１１２にアンテナＴｂを搭載し、例えば、物品の角部を構成する３面に夫々の各領域１１０，１１１，１１２が面するように折曲して貼付し、通信条件を３方向において同様に行なうことができるようにしている（例えば、特開２００３−２１２３４８号公報に掲載）。
【０００４】
しかし、上記従来のラベルＬにおいて、周波数によっても異なるが、特に、ＵＨＦ帯のＲＦＩＤタグＴでは、ラベルＬを貼付する物品の材質や内容物が電磁波を阻害するもの、例えば金属や水などの液体を含むものであった場合、物品の金属や液体の影響により電磁波が物品に吸収される、または乱反射により電磁波が乱れることにより、メモリチップＴａの情報をリーダライタで読み書きできなくなることがあるという問題があった。
【０００５】
これを解決するために、例えば、図９に示すように、ラベルＬを筒状中空物１００を介して物品Ｗに貼付し、ラベルＬと物品Ｗとの間に空隙部１０１を設け、ＲＦＩＤタグＴを物品Ｗから離間し、物品Ｗからの影響をできるだけ抑制することが有効になる（例えば、特開平１１−２４０５２３号公報参照）。
【０００６】
【特許文献１】特開２００５−１０４５２１号公報
【特許文献２】特開２００３−２１２３４８号公報
【特許文献３】特開平１１−２４０５２３号公報
【発明の開示】
【発明が解決しようとする課題】
【０００７】
しかしながら、上記特許文献３のラベルＬを物品に貼付するためには、ラベルＬを筒状中空物１００を介して物品Ｗに貼付しなければならず、別途筒状中空物１００を用意しなければならない問題がある。
また、上記特許文献３のラベルＬを物品に固定する方法として、ラベルＬを筒状中空物１００に貼付後、この筒状中空物１００を物品に固定するには、接着剤やセロハンテープ等を用いて物品に固定しなければならず、上記従来のラベル貼付装置では対応できないことから、人的作業で上記固定方法を用いる場合は、その作業が煩わしいと共に作業効率が良くない問題がある。
更に、ラベルＬが筒状中空物１００を介して物品に貼付されるため、筒状中空物１００が他のものと擦過した場合に筒状中空物１００が取れてしまう、または筒状中空物１００が貼付された物品を積み上げた場合に筒状中空物１００により傾き積載できないなどの問題が考えられる。
【０００８】
本発明は上記の問題点に鑑みて為されたもので、ＲＦＩＤタグが付設されたラベルにおいて、ＲＦＩＤタグを特別な部材を用いることなく物品から離間させて物品に貼付できるようにし、物品からの影響をできるだけ抑制できるように貼付することのできるラベルを提供することを目的とする。
【課題を解決するための手段】
【０００９】
上記課題を解決するため、請求項１記載の発明によれば、台紙に仮着され裏面に粘着剤が塗布されたラベルであって、該ラベルにメモリチップ及び通信用アンテナから成るＲＦＩＤタグを付設し物品に貼付するＲＦＩＤラベルにおいて、ＲＦＩＤタグが付設された所定の大きさの矩形状のタグ付設部を一般部と連設する一辺に設けるとともに、上記タグ付設部と上記一般部の境に仕切線を設け、上記タグ付設部の裏面側を非粘着または弱粘着としたことを特徴とするＲＦＩＤラベルである。
これにより、ＲＦＩＤタグを特別な部材を用いることなく物品から離間させて物品に貼付できるようにし、物品からの影響をできるだけ抑制できるように貼付することのできる。
また、タグ付設部の裏面側を非粘着または弱粘着としたので、ラベルを物品に貼付した際、タグ付設部が物品などに着接せず突出させることができるので、取り扱いが容易になる。
【００１０】
請求項２記載の発明によれば、上記ラベルの基材が、上記タグ付設部が上記一般部と面一の状態で該物品のコーナ部から突出できる剛性を有する基材または厚さで構成したＲＦＩＤラベルである。
請求項３記載の発明によれば、記ラベルの裏面側に、上記タグ付設部が上記一般部と面一の状態で該物品のコーナ部から突出できる剛性を有するように、上記タグ付設部の一辺を跨ぐシート状の補強基材を設けたＲＦＩＤラベルである。
請求項４記載の発明によれば、上記ラベルの裏面側に、上記タグ付設部が上記一般部と面一の状態で該物品のコーナ部から突出できる剛性を有するように、上記タグ付設部及び該タグ付設部に連設する一部に補強基材を設けたＲＦＩＤラベルである。
上記により、タグ付設部を確実に突出させることができるとともに、突出したタグ付設部の姿勢を確実に保持することができ、外部からの衝撃に対してＲＦＩＤタグを保護する機能が向上する。
【００１１】
請求項５記載の発明によれば、上記タグ付設部を、上記ラベルの上記一般部の一辺の角部を構成する部位に形成したＲＦＩＤラベルである。
請求項６記載の発明によれば、上記タグ付設部を、上記ラベルの上記一般部の一辺の中間部に形成したＲＦＩＤラベルである。
【００１２】
また、請求項７記載の発明によれば、請求項１記載のＲＦＩＤラベルの貼付方法であって、上記ラベルを物品へ貼付する際、上記仕切線を上記物品のコーナー部に合わせ、上記一般部を上記物品に貼付すると共に上記タグ付設部を上記物品から突出させて貼付することを特徴とする。
タグ付設部と一般部との境にある仕切線を物品のコーナー部に合わせ、一般部を物品に貼付するだけで、タグ付設部を物品から突出させることができるので、タグ付設部を別途引起こす工程が不要になり、そのため、作業効率が向上される。
【００１３】
更に、請求項８記載の発明によれば、請求項１記載のＲＦＩＤラベルの貼付方法であって、上記タグ付設部を上記仕切線から折曲し、上記ラベルを物品に貼付する際、上記タグ付設部が上記一般部から立上がり物品から突出させて貼付することを特徴とする。
物品の平面に貼付した場合でも、タグ付設部を上記仕切線から折曲するだけで、容易にタグ付設部を物品から起立させて突出させることができるので、物品からの影響をできるだけ抑制できるように貼付することのできる。
【発明の効果】
【００１４】
本発明のＲＦＩＤラベル及びＲＦＩＤラベルの貼付方法によれば、ＲＦＩＤタグのあるタグ付設部を物品に対して突出させて貼付できるので、ＲＦＩＤタグを物品から離間させて貼付することができる。そのため、ＲＦＩＤタグを特別の部材を用いることなく物品から離間させてラベルを物品に貼付でき、物品からの影響をできるだけ抑制できるとともに、確実に情報の送受信を行なうことができる。
【発明を実施するための最良の形態】
【００１５】
以下、添付図面に基づいて、本発明の実施の形態に係るラベルについて詳細に説明する。
図１及び図２には、本発明の第一の実施の形態に係るラベルＬを示している。
このラベルＬは、表示層Ｕの裏面側に粘着剤が塗布された粘着層Ｂを有し、この裏面において帯状の台紙Ｄに順に仮着されている。また、表示層Ｕの裏面には、ＲＦＩＤタグＴが付設されている。
ＲＦＩＤタグＴは、ＩＣチップＴａと通信用アンテナＴｂとから構成され、全体を覆うフィルム層Ｊにより保護されている。
ラベルＬは、台紙Ｄの長手方向Ｒに沿って凸形状に形成され、ＲＦＩＤタグＴが付設された所定の大きさの矩形状のタグ付設部１を一般部２に連設する一辺３の中間部に設け、タグ付設部１と一般部２の境には仕切線Ｐを設け、図１に示すように、この仕切線Ｐを物品Ｗの一方平面Ｗａ及び他方平面Ｗｂから成るコーナ部Ｗｃに合わせ、一般部２が一方平面Ｗａに貼付されると共に、タグ付設部１が物品Ｗから突出した状態で貼付される。
【００１６】
表示層Ｕは、タグ付設部１が物品Ｗのコーナ部Ｗｃから突出し姿勢を保持できる剛性を有する材質及び厚さを有して構成されている。
詳しくは、表示層Ｕは、例えば、上質紙，アート紙，コート紙などで形成される紙基材の場合には、厚さｔがｔ＝７０μｍ以上に形成され、ポリエチレン（ＰＥ），ポリプロピレン（ＰＰ），ポリエチレンテレフタレート（ＰＥＴ），ポリスチレン（ＰＳ），ポリウレタン等の樹脂フィルム基材や、ポリエチレンやポリプロピレン等に充填剤を加えて紙のような繊維状に加工した合成紙基材の場合は、厚さｔがｔ＝５０μｍ以上に形成されることが望ましい。
【００１７】
また、タグ付設部１の裏面は、粘着剤が塗布されていない構成としている。これは、物品Ｗの部位にタグ付設部１が接着しないように、台紙Ｄにタグ付設部１と同形状の切り込みを入れ、タグ付設部１と台紙Ｄとが仮着した状態で突出可能とする。または、網点状に粘着剤を塗布するなどとしても良いが、タグ付設部１の裏面に粘着剤を塗布しない構成とすることで、タグ付設部１が物品Ｗの他の部位、例えば、物品Ｗの他方平面Ｗｂなどに付着することを防止できることから、タグ付設部１が物品Ｗから確実に突出することができる。
【００１８】
図３には、本発明の第二の実施の形態に係るラベルＬを示している。
このラベルＬは、上記第一の実施の形態に係るラベルＬと略同様に構成されるが、第一の実施の形態のラベルＬと異なって、タグ付設部１が一般部２と面一の状態で物品Ｗのコーナ部Ｗｃから突出できる剛性を有するように、シート状の補強基材Ｋａ、Ｋｂが設けられている。
補強基材Ｋａは、表示層Ｕと同じ大きさに形成され、表示層Ｕに接着されている。ＲＦＩＤタグＴ及び粘着層Ｂは、この補強基材Ｋａの裏面に設けられている。
補強基材Ｋｂは、タグ付設部１及びタグ付設部１に連設する一般部２の一部のみに設けられ、ＲＦＩＤタグＴの裏面側に設けられている。
補強基材Ｋａ、Ｋｂは、例えば、樹脂フィルム基材や合成紙基材で構成されると共に、タグ付設部１が突出して設けられた場合に、その姿勢を保持する剛性が増加させられ、外部からの衝撃に対してＲＦＩＤタグＴを保護する機能が向上させられる。
【００１９】
また、タグ付設部１の裏面（補強基材Ｋｂ）には、粘着剤が塗布されていない構成としている。これは、上記第一の実施の形態に係るラベルＬと同様に、物品Ｗの他方平面Ｗｂなどに付着することを防止できることから、タグ付設部１が物品Ｗから確実に突出することができる。
【００２０】
尚、上記第二の実施の形態に係るラベルＬの構成で、補強基材Ｋａ、Ｋｂを用いて説明したが、補強基材Ｋｂを省き補強基材Ｋａのみの構成としても良く、または補強基材Ｋａを省き補強基材Ｋｂのみの構成としても良く、適宜変更して構わない。
【００２１】
図４には、本発明の第三の実施の形態に係るラベルＬを示している。
このラベルＬは、上記第一の実施の形態に係るラベルＬと略同様に構成されるが、第一の実施の形態のラベルＬと異なって、台紙Ｄの長手方向Ｒに沿ってＬ字形状に形成され、タグ付設部１が一般部２に連設する一辺３の角部に設け、タグ付設部１と一般部２の境には仕切線Ｐがあり、図４に示すように、この仕切線Ｐを物品Ｗの一方平面Ｗａ及び他方平面Ｗｂから成るコーナ部Ｗｃに合わせ、一般部２が一方平面Ｗａに貼付されると共に、タグ付設部１が物品Ｗから突出した状態で貼付される。
【００２２】
尚、本発明の第三の実施の形態に係るラベルＬの層の構成は、上記第一の実施の形態に係るラベルＬと同様である。また、上記第二の実施の形態と同様に、補強基材Ｋａ、Ｋbを用いる層の構成としてよいことは勿論である。
【００２３】
また、上記第一乃至第三の実施の形態において、ラベルＬの一般部２を物品Ｗの一方平面Ｗａに貼付した状態で、タグ付設部１を物品Ｗの他方平面Ｗｂと面一になるように仕切線Ｐより折曲させる、または、物品Ｗより突出する他の角度に仕切線Ｐより折曲させて貼付しても良く、適宜変更して構わない。上記形態においても、タグ付設部１が物品より突出して貼付されるので、上記と同様の効果を奏する。
【００２４】
図５には、本発明の第四の実施の形態に係るラベルＬを示している。
このラベルＬは、物品Ｗの平面に貼付されるものであり、第一乃至第二の実施の形態に係るラベルＬと略同様に形成されている。
【００２５】
本発明の第四の実施の形態に係るラベルＬを貼付するときは、吸着板を備えた周知のラベル貼付装置（図示せず）を用いることが容易に行なわれる。この周知のラベル貼付装置においては、ラベルＬを台紙に仮着した状態で搬送するとともに、吸着板により台紙に仮着されたラベルＬを所定の吸着位置で吸着して剥離し、所定の貼付位置で物品Ｗに貼付する。
そして、このラベルＬが物品Ｗに貼付された状態で、図５（ｂ）に示すように、タグ付設部１を仕切線Ｐより折り曲げ、一般部２から引起こして突出させる。タグ付設部１の裏面には、粘着剤が塗布されていないため、タグ付設部１を物品Ｗから容易に突出させることができる。
そのため、上記第一乃至第二の実施の形態のラベルＬと同様の作用，効果を奏する。
また、従来のラベル貼付装置でも使用可能であるため、自動化による作業効率の向上を行うことができる。
【００２６】
図６には、本発明の第五の実施の形態に係るラベルＬを示している。
このラベルＬは、物品Ｗの平面に貼付されるものであり、第三の実施の形態に係るラベルＬと略同様に形成されている。
【００２７】
本発明の第五の実施の形態に係るラベルＬを貼付するときは、吸着板を備えた周知のラベル貼付装置（図示せず）を用いることが容易に行なわれる。この周知のラベル貼付装置においては、ラベルＬを台紙に仮着した状態で搬送するとともに、吸着板により台紙に仮着されたラベルＬを所定の吸着位置で吸着して剥離し、所定の貼付位置で物品Ｗに貼付する。
そして、このラベルＬが物品Ｗに貼付された状態で、図６（ｂ）に示すように、タグ付設部１を仕切線Ｐで折り曲げ、一般部２から引起こして突出させる。タグ付設部１の裏面には、粘着剤が塗布されていないため、タグ付設部１を物品Ｗから容易に突出させることができる。
そのため、上記第三の実施の形態のラベルＬと同様の作用，効果を奏する。
また、従来のラベル貼付装置でも使用可能であるため、自動化による作業効率の向上を行うことができる。
【００２８】
尚、上記第一乃至第五の実施の形態のラベルＬを、凸形状またはＬ字状で形成され、タグ付設部１を一般部２と連設する一辺３の中間部または角部に設けられた形態で説明したが、これに限定するものではなく、タグ付設部１が一般部２の一辺３と同じ長さを有する四角形のラベルＬとしても良い。また、タグ付設部１を半円形状や台形状などの形状にしても良く、適宜の形状に変更して差支えないことは勿論である。
【００２９】
また、本発明の第一乃至第五の実施の形態に係るラベルＬの他の効果として、タグ付設部１は突出するので、物品の使用目的が終了した後は、容易に切除することができることから、ＩＣチップＴａに記憶された情報の漏洩を容易に防止すると共に、ラベルＬを貼付した物品Ｗの梱包素材がダンボール等リサイクル可能なものであった場合は、ＩＣチップＴａを含むタグ付設部を容易に分別することができる。
更にまた、タグ付設部１は突出するので、この部分に色や蛍光色を付せば、積載時や倉庫内の暗い部屋でも容易にラベルを認識することができ、読み取り用のスキャナを的確にラベルに向けてデータの読み取り等の作業を行なうことができるようになる等種々の効果を奏する。
【図面の簡単な説明】
【００３０】
【図１】本発明の第一の実施の形態に係るラベルをその貼付状態とともに示す図である。
【図２】本発明の第一の実施の形態に係るラベルを示し、（ａ）は平面図、（ｂ）は、横断面図である。
【図３】本発明の第二の実施の形態に係るラベルを示し、（ａ）は平面図、（ｂ）は、横断面図である。
【図４】本発明の第三の実施の形態に係るラベルをその貼付状態とともに示す図である。
【図５】本発明の第四の実施の形態に係るラベルをその貼付状態とともに示す図である。
【図６】本発明の第五の実施の形態に係るラベルをその貼付状態とともに示す図である。
【図７】ＲＦＩＤタグＴが付設されたラベルＬの一般例を示す図である。
【図８】従来のＲＦＩＤタグが付設されたラベルの貼付例を示す断面図である。
【図９】従来のＲＦＩＤタグが付設されたラベルの別の貼付例を示す断面図である。
【符号の説明】
【００３１】
Ｌ    ラベル
Ｕ    表示層
Ｂ    粘着層
Ｄ    台紙
Ｊ    フィルム層
Ｒ    台紙の長手方向
Ｔ    ＲＦＩＤタグ
Ｔａ  メモリチップ
Ｔｂ  通信用アンテナ
Ｋａ、Ｋｂ  補強基材
１    タグ付設部
２    一般部
３    一辺
Ｐ    仕切線（延長線）
Ｗ    物品
Ｗａ  一方平面
Ｗｂ  他方平面
Ｗｃ  コーナ部
【図１】
0004776007.tif 000002
【図２】
0004776007.tif 000003
【図３】
0004776007.tif 000004
【図４】
0004776007.tif 000005
【図５】
0004776007.tif 000006
【図６】
0004776007.tif 000007
【図７】
0004776007.tif 000008
【図８】
0004776007.tif 000009
【図９】
0004776007.tif 000010